(57)【要約】【課題】パネル支持板の取り付け位置が多少ずれた場合やメーターパネルに重量物が取り付けられた場合でもパネル支持板の変形を防止することができ、また、パネル支持板の折り曲げ片の大部分をなくして機器取り付けパネルの機器取り付け有効スペースを拡大することができるメーターパネル支持装置を提供する。【解決手段】メーターパネル支持装置１は、前面の開口部周縁に水切り片２ａが形成された箱体本体２の内側背面に左右一対のパネル支持板５，６を対向して設け、一方のパネル支持板５にメーターパネル７を開閉自在に取り付け、他方のパネル支持板６にメーターパネル７を固定可能にし、両側のパネル支持板５，６間を連結バー８で連結するとともに、一方のパネル支持板５の前端下部と他方のパネル支持板６の前端上部とに外側に向けて突出量が調整可能に調整ネジ９を設け、調整ネジ９の先端を水切り片２ａに当接させる。【選択図】図１
2006296052.tif 000002
【特許請求の範囲】
【請求項１】
前面の開口部周縁に水切り片が形成された箱体本体の内側背面に左右一対のパネル支持板を対向して設け、一方のパネル支持板にメーターパネルを開閉自在に取り付け、他方のパネル支持板に前記メーターパネルを固定可能にしたメーターパネル支持装置において、前記両側のパネル支持板間を連結バーで連結するとともに、前記一方のパネル支持板の前端下部と前記他方のパネル支持板の前端上部とに外側に向けて突出量が調整可能に調整ネジを設け、該調整ネジの先端が前記水切り片に当接するようにしたことを特徴とするメーターパネル支持装置。
【発明の詳細な説明】
【技術分野】
【０００１】
本発明は、配電盤、分電盤、制御盤などの内部に設けられ、計器などが取り付けられるメーターパネルの支持装置に関する。
【背景技術】
【０００２】
従来のメーターパネル支持装置は、箱体本体の内側背面に設けられた機器取り付けパネルの前面に左右一対のパネル支持板を対向して設け、一方のパネル支持板にメーターパネルを開閉自在に取り付け、他方のパネル支持板にメーターパネルを固定可能にし、一方のパネル支持板の前端下部に外側に向けて延長部を設け、メーターパネルの開放時に延長部が箱体本体の水切り片に当接してパネル支持板の変形を防止していた（例えば、特許文献１参照）。
【０００３】
【特許文献１】特開平８−２０５３２０号公報（第１図）
【発明の開示】
【発明が解決しようとする課題】
【０００４】
しかしながら、従来のメーターパネル支持装置は、延長部の突出量が一定なのでパネル支持板の取り付け位置によっては水切り片との間隔が大きくなり、メーターパネルの荷重によりパネル支持板が変形するという欠点があった。また、一方のパネル支持板の前端下部の延長部一箇所だけで支持しているのでメーターパネルに重量物が取り付けられた際に荷重により上端側が変形するという欠点もあり、パネル支持板の強度を確保するために上下端縁部全体に折り曲げ片が不可欠であった。このため、折り曲げ片が機器取り付けパネルの機器取り付け有効スペースを減少させていた。
【課題を解決するための手段】
【０００５】
本発明は、前面の開口部周縁に水切り片が形成された箱体本体の内側背面に左右一対のパネル支持板を対向して設け、一方のパネル支持板にメーターパネルを開閉自在に取り付け、他方のパネル支持板にメーターパネルを固定可能にしたメーターパネル支持装置において、両側のパネル支持板間を連結バーで連結するとともに、一方のパネル支持板の前端下部と他方のパネル支持板の前端上部とに外側に向けて突出量が調整可能に調整ネジを設け、調整ネジの先端が水切り片に当接するようにしたことを特徴とする。
【発明の効果】
【０００６】
本発明によれば、パネル支持板の取り付け位置が多少ずれた場合やメーターパネルに重量物が取り付けられた場合でもパネル支持板の変形を防止することができ、また、パネル支持板の折り曲げ片の大部分をなくして機器取り付けパネルの機器取り付け有効スペースを拡大することができるという効果がある。
【発明を実施するための最良の形態】
【０００７】
メーターパネル支持装置は、前面の開口部周縁に水切り片が形成された箱体本体の内側背面に左右一対のパネル支持板を対向して設け、一方のパネル支持板にメーターパネルを開閉自在に取り付け、他方のパネル支持板にメーターパネルを固定可能にし、両側のパネル支持板間を連結バーで連結するとともに、一方のパネル支持板の前端下部と他方のパネル支持板の前端上部とに外側に向けて突出量が調整可能に調整ネジを設け、調整ネジの先端を水切り片に当接させる。
【実施例１】
【０００８】
本発明に係るメーターパネル支持装置の実施例１を図１〜図３の添付図面に基づいて説明する。
【０００９】
メーターパネル支持装置１は、配電盤、分電盤、制御盤などの箱体本体２に設けられ、箱体本体２の前面開口部には扉体３が開閉自在に取り付けられている。箱体本体２の前面開口部周縁は水切り片２ａが形成され、箱体本体２の内側背面に機器取り付けパネル４が設けられ、この機器取り付けパネル４にメーターパネル支持装置１が設けられる。
【００１０】
メーターパネル支持装置１は、機器取り付けパネル４の前面に配設される左右一対のパネル支持板５，６と、一方のパネル支持板５に開閉自在に取り付けられるメーターパネル７と、両側のパネル支持板５，６間を連結する連結バー８と、パネル支持板５，６の変形を防止する調整ネジ９とで構成している。
【００１１】
パネル支持体５，６は平板部５ａ，６ａの後端縁が略直角に折曲されて固定片５ｂ，６ｂが形成され、固定片５ｂ，６ｂの２つの透孔５ｃ，６ｃに固定ネジ１０を挿通させて機器取り付けパネル４に螺着固定している。
【００１２】
一方のパネル支持板５は平板部５ａの上下前端部に折り曲げ片５ｄが内側方向に折曲形成されて螺子孔５ｅと取付孔５ｆが形成され、螺子孔５ｅに螺子１１を螺合させてメーターパネル７の上下端縁に形成した軸孔７ａに樹脂製のヒンジスペーサー１２を介して嵌挿させることによりメーターパネル７を開閉自在に軸支している。
【００１３】
また、他方のパネル支持板６も平板部６ａの上下前端部に折り曲げ片６ｄが内側方向に折曲形成されて螺子孔６ｅと取付孔６ｆが形成され、また、平板部６ａに係合孔６ｇが形成されている。螺子孔６ｅは螺子１１が螺合されてメーターパネル７の閉塞時に当接するようになっており、係合孔６ｇはメーターパネル７のハンドル７ｂの係合片７ｃが係脱可能になっている。
【００１４】
そして、これら両側のパネル支持板５，６の上部の折り曲げ片５ｄ，６ｄの取付孔５ｆ，６ｆに連結バー８が取付ネジ１３により螺着固定され、一方のパネル支持板５の前端上部と他方のパネル支持板６の前端下部にネジ孔５ｈ，６ｈが形成されて、調整ネジ９が内側から螺合される。調整ネジ９の先端には樹脂製の保護キャップ１４が嵌め込まれている。調整ネジ９は突出量を調整して保護キャップ１４の先端が箱体本体２の水切り片２ａに当接するようにしておく。尚、両側のパネル支持板５，６は形状を同じにして左右共通して使用できるようになっている。
【００１５】
このように形成されたメーターパネル支持装置１は、メーターパネル７に計器などを取り付けると、メーターパネル７の開放時に一方のパネル支持板５の下部に外側方向の荷重がかかり、また、連結バー８を介して他方のパネル支持板６の上部に外側方向の荷重がかかるが、調整ネジ９が保護キャップ１４を介して箱体本体２の水切り片２ａに当接して支持するので、メーターパネル７に重量物が取り付けられた場合でもパネル支持板５，６の変形を防止する。これにより、パネル支持板５，６自体は強度を持たせなくても良いのでメーターパネル７と連結バー８の取り付け部分を除いて大部分の折り曲げ片をなくすことができ、機器取り付けパネル４の機器取り付け有効スペースを拡大することができる。また、パネル支持板５，６の取り付け位置が多少ずれた場合でも調整ネジ９の突出量の調整により対応することができる。
【００１６】
尚、本実施例において調整ネジ９の先端に箱体本体２の水切り片２ａに傷が付かないように保護キャップ１４を取り付けたが、保護キャップ１４はなくても問題ない。
【図面の簡単な説明】
【００１７】
【図１】本発明のメーターパネル支持装置が箱体本体に取り付けられた状態の斜視図である。
【図２】本発明のメーターパネル支持装置を示す分解斜視図である。
【図３】本発明のメーターパネル支持装置が箱体本体に取り付けられた状態の箱体本体の横断面図である。
【符号の説明】
【００１８】
１    メーターパネル支持装置
２    箱体本体
２ａ    水切り片
４    機器取り付けパネル
５    パネル支持板
６    パネル支持板
７    メーターパネル
８    連結バー
９    調整ネジ
【図１】
2006296052.tif 000003
【図２】
2006296052.tif 000004
【図３】
2006296052.tif 000005